(57)【要約】【課題】イモビライザーアンテナとトランスポンダとを近接かつ安定して配置し、信号の送受信を確実に行う。【解決手段】キーシリンダ２２にイモビライザーアンテナ２５を固設すると共に、キー２６の摘み部２６ｂにキーキャップ２７を嵌入し、該キーキャップ２７の嵌入部の側方にトランスポンダを固設する。キー２６の摘み部２６ｂがキーキャップ２７に嵌入した状態で、トランスポンダは、キー２６の回転中心に対してイモビライザーアンテナ２５側に配置される。【選択図】図３
2014172459.tif 000002
【特許請求の範囲】
【請求項１】
キー部と、作業者が把持する摘み部と、を有するキーを備え、キーシリンダに前記キー部が挿入・回し操作されて主電源やエンジンが入切される作業車輌において、
前記摘み部が嵌入する嵌入部を有するキーキャップと、
前記キーシリンダに固設されるイモビライザーアンテナと、前記嵌入部の側方に配置され、前記キーキャップに固設されるトランスポンダと、を有するイモビライザーシステムと、を備えた、
ことを特徴とする作業車輌。
【請求項２】
前記トランスポンダは、前記嵌入部に前記摘み部が嵌入し、かつ前記キー部が前記キーシリンダに挿入された状態で、前記キーの回転中心に対して前記イモビライザーアンテナ側に配置されてなる、
請求項１記載の作業車輌。
【請求項３】
前記キーキャップは、前記嵌入部を覆い、かつ略半球形状に形成された覆い部を有し、
前記トランスポンダは、前記嵌入部と前記覆い部とによって形成されるスペース内に配置されてなる、
請求項１または２記載の作業車輌。
【発明の詳細な説明】
【技術分野】
【０００１】
本発明は、乗用田植機やトラクタなどの作業車輌に係り、詳しくは、そのイモビライザーシステムに関する。
【背景技術】
【０００２】
近年、合鍵等による乗用田植機やトラクタなどの作業車輌の盗難が多発しており、イモビライザーシステムによる盗難防止が提唱されている。イモビライザーシステムは、車両側に設けたアンテナからトランスポンダに指令信号を電波送信し、トランスポンダからの暗証番号をアンテナで電波受信し、この受信した暗証番号とコントローラに設定記憶された暗証番号とを照合して、暗証番号が合致しない場合にはエンジンの始動回路が解除せず、また暗証番号が一致する場合にはエンジンを始動可能とするものである。
【０００３】
一般には、予めキーにトランスポンダを内蔵し、車両のキーシリンダにアンテナを配置して、イモビライザーシステムを構築するが、従来、イモビライザーシステムを後付けするものとして、タグ型トランスポンダをキーに係着すると共に垂下させ、上斜め向きに設けたキーシリンダの傾斜方向下方側にアンテナを設けたものが提案されている（特許文献１参照）。
【先行技術文献】
【特許文献】
【０００４】
【特許文献１】特開２００５−２８９３０５号公報
【発明の概要】
【発明が解決しようとする課題】
【０００５】
しかしながら、特許文献１記載のものは、タグ型トランスポンダがキーとリングで接続されているため、タグ型トランスポンダが落下して紛失する虞があると共に、タグ型トランスポンダがキーに対して揺動し、キーシリンダの傾斜方向下方側に設けたアンテナとの距離が不安定になって、確実に信号の送受信が行われないことがある。また、作業者の乗降時等にキー又はタグ型トランスポンダに足が当たり、誤操作や故障の原因となる虞がある。
【０００６】
そこで、本発明は、キーを嵌入するキーキャップを備えると共に、該キーキャップにトランスポンダを配置して、もって上述した課題を解決した作業車輌を提供することを目的とする。
【課題を解決するための手段】
【０００７】
本発明は、キー部（２６ａ）と、作業者が把持する摘み部（２６ｂ）と、を有するキー（２６）を備え、キーシリンダ（２２）に前記キー部（２６ａ）が挿入・回し操作されて主電源やエンジンが入切される作業車輌（１）において、
前記摘み部（２６ｂ）が嵌入する嵌入部（２９）を有するキーキャップ（２７）と、
前記キーシリンダ（２２）に固設されるイモビライザーアンテナ（２５）と、前記嵌入部（２９）の側方に配置され、前記キーキャップ（２７）に固設されるトランスポンダ（３７）と、を有するイモビライザーシステムと、を備えた、
ことを特徴とする。
【０００８】
例えば図３及び図４を参照して、前記トランスポンダ（３７）は、前記嵌入部（２９）に前記摘み部（２６ｂ）が嵌入し、かつ前記キー部（２６ａ）が前記キーシリンダ（２２）に挿入された状態で、前記キー（２６）の回転中心に対して前記イモビライザーアンテナ（２５）側に配置されてなる。
【０００９】
例えば図４を参照して、前記キーキャップ（２７）は、前記嵌入部（２９）を覆い、かつ略半球形状に形成された覆い部（３０）を有し、
前記トランスポンダ（３７）は、前記嵌入部（２９）と前記覆い部（３０）とによって形成されるスペース（Ｓ）内に配置されてなる。
【００１０】
なお、上述カッコ内の符号は、図面と対照するためのものであるが、何ら本発明の構成を限定するものではない。
【発明の効果】
【００１１】
請求項１に係る本発明は、キーキャップにトランスポンダを固設したので、イモビライザーシステム専用のキーでないものにトランスポンダを容易に取付けることができ、かつキーからトランスポンダが外れて紛失するのを防止することができる。また、イモビライザーアンテナとトランスポンダとを近接かつ安定して配置することができ、信号の送受信を確実に行うことができる。
【００１２】
請求項２に係る本発明は、トランスポンダをキーの回転中心に対してイモビライザーアンテナ側に配置したので、キーを回転操作してもトランスポンダをイモビライザーアンテナに近接して配置することができ、信号の送受信を確実に行うことができる。
【００１３】
請求項３に係る本発明は、キーキャップが全体として略半球形状に形成されるので、キーへの衝撃を逃がし、例えば作業者がキーに足をぶつけた際のキーの誤操作を防止すると共に、空きスペースにトランスポンダを配置することで、イモビライザーシステムを容易に取付けることができる。
【図面の簡単な説明】
【００１４】
【図１】本発明を適用した乗用田植機を示す全体側面図。
【図２】その平面図。
【図３】本発明を適用したキーシリンダ及びキーを示す斜視図。
【図４】本発明を適用したキーキャップを示す図であって、（ａ）は正面図、（ｂ）は平面図、（ｃ）は底面図、（ｄ）は左側面図、（ｅ）は右側面図、（ｆ）は背面図。
【図５】本発明を適用したキーキャップを示す図であって、（ａ）は左側面図、（ｂ）は平面図、（ｃ）はＡ−Ａ断面図、（ｄ）はＢ−Ｂ断面図。
【図６】キーにキーキャップを取付けた状態を示す図であって、（ａ）は左側面図、（ｂ）は平面図、（ｃ）はＣ−Ｃ断面図、（ｄ）はＤ−Ｄ断面図。
【発明を実施するための形態】
【００１５】
以下、図面に沿って、本発明の実施の形態について説明する。本発明を適用した乗用田植機１（作業車輌）は、図１及び図２に示すように、左右一対の前輪２及び後輪３に支持される走行機体５と、該走行機体５の後部に昇降リンク機構６を介して昇降自在に連結される植付作業機７と、を備えて構成されている。
【００１６】
上記植付作業機７は、上記走行機体５の進行方向である前後方向の軸回りに回動自在（ローリング自在）に上記リンク機構６に支持されたフレーム部９を有している。該フレーム部９は、前高後低状の傾斜姿勢で苗載台１０を支持しており、該苗載台１０には、その載置面１０ａに載置されるマット苗を下方搬送する縦送り機構１１が設置されている。上記フレーム部９の後方には、植付部１２が一体的に延設されており、該植付部１２の移植杆１３が回転することで、上記載置面１０ａに載置されて下端に搬送されたマット苗から一株分の苗を掻き取って、圃場に連続的に移植できるようになっている。
【００１７】
上記走行機体５は、前部にエンジン等が収納されるボンネット１５が配置され、後部に作業者が上記乗用型田植機１を運転操作する運転操作部１６が配置されている。該運転操作部１６は、作業者が着座する運転座席１７と、上記走行機体５の旋回操作を行なうステアリングハンドル１９と、前進後進の切替等を行なう主変速レバー２０と、等を備えており、作業者が上記運転座席１７に着座した時の足元正面部分は、リアパネル２１で覆われている。
【００１８】
該リアパネル２１には、図１及び図３に示すように、主電源やエンジンの入切のスイッチとなるキーシリンダ２２が突出して設けられており、該キーシリンダ２２は、その底面２２ａにキー穴２３を有し、側面２２ｂにイモビライザーアンテナ２５が固設されている。該イモビライザーアンテナ２５は、上記側面２２ｂの上側面から右側面に沿って円弧状に形成されており、該円弧の中心角は、上記キー穴２３の回動角に対応して設定されている。上記キー穴２３には、キー２６が挿入されて、該キー２６を所定方向に回し操作することで、主電源やエンジンを入切することができる。本実施の形態では、上記キー穴２３が略鉛直方向に開口している状態（図３参照）又はやや反時計回りに傾いた状態で乗用田植機１の主電源及びエンジンは停止するようになっており、そこからキー穴２３にキー２６を挿入し、時計回りに回し操作することで、段階的に主電源、エンジンが始動するようになっている。上記キー２６は、上記キー穴２３に挿入される部分であるキー部２６ａと、作業者が把持する部分である摘み部２６ｂと、を有しており、上記キー穴２３に対する抜き挿し操作や回し操作は、上記摘み部２６ｂを指で摘みながら行われる。
【００１９】
上記摘み部２６ｂには、射出成形された樹脂部品であるキーキャップ２７が取付けられ、該キーキャップ２７は、図４ないし図６に示すように、上記摘み部２６ｂが嵌入する嵌入部２９と、該嵌入部２９を覆い、かつ略半球形状に形成された覆い部３０を備えている。上記嵌入部２９は、上記キーキャップ２７の底面に穴状に形成され、該嵌入部２９内には、係合爪２９ａが一体形成されている。該係合爪２９ａは、上記摘み部２６ｂに形成されたキーホルダ挿通用の孔３１に係合して、上記嵌入部２９に嵌入した上記摘み部２６ｂを抜き止めすることができ、キー２６及びキーキャップ２７の紛失を防止できる。
【００２０】
上記覆い部３０の外周面には、指標部３２と、左右一対の凹部３３，３３と、通し孔３５と、が形成されている。上記指標部３２は、上記嵌入部２９に沿うように、上記覆い部３０の外周面から突出して形成された凸部であり、直線状に形成されている。すなわち、上記指標部３２は、半球状の上記覆い部３０の外周面の端部から上記通し孔３５まで直線的に形成され、上記キーキャップ２７が取付けられた上記キー２６の回し位置を示すものである。
【００２１】
左右一対の上記凹部３３，３３は、上記嵌入部２９に嵌入した上記摘み部２６ｂに沿うように、上記覆い部３０の外周面の凹部として形成され、例えば最も凹み量が大きい部分で数[ｍｍ]程度に形成される。上記凹部３３は、複数の並列する線状の滑り止め部３６を備えている。これら凹部３３及び滑り止め部３６は、作業者が上記覆い部３０を指で摘んでキー２６を回し操作する際の操作性を向上すると共に、該キー２６の回し位置を直感的に認識することを可能とする。
【００２２】
上記通し孔３５は、略半球形状の上記覆い部３０の頂部近傍に形成されており、上記摘み部２６ｂと係合爪２９ａとの係合状態を目視で確認する係合確認用の孔や、上記摘み部２６ｂと係合爪２９ａとの係合を解除する際に、精密ドライバ等の差し込み用の孔として利用されると共に、キーホルダやストラップ等の取付け孔として利用される。
【００２３】
上記嵌入部２９と上記覆い部３２とによって形成されるスペースＳ内には、上記イモビライザーアンテナ２５と共にイモビライザーシステムを構成するトランスポンダ３７が配置されており、具体的には、該トランスポンダ３７は、上記嵌入部２９を構成する壁部２９ｂの一側に固設され、正面視において上記指標部３２が上位置にある状態（図４(ａ)参照）で、上記円形状のキーキャップ２７の右上の四半円内に配置される。該トランスポンダ３７には、乗用田植機毎に設定された暗証番号が記憶されており、該トランスポンダ３７は、上記イモビライザーアンテナ２５からの指令信号に応じて暗証番号を送信するようになっている。該暗証番号を受信した上記イモビライザーアンテナ２５は、不図示のコントローラに受信した暗証番号を出力し、その暗証番号とコントローラに予め設定記憶された暗証番号とを照合して、暗証番号が合致しない場合には主電源やエンジンの始動回路が解除せず、また暗証番号が一致する場合には主電源やエンジンを始動可能とする。
【００２４】
本実施の形態は以上のような構成からなるので、作業者は、キー２６の摘み部２６ｂを、キーキャップ２７の嵌入部２９に嵌入すると共に上記係合爪２９ａによって抜き止めし、キー２６とキーキャップ２７とを一体として持ち運び使用する。作業者は、乗用田植機１で走行及び作業を行う場合、上記キーキャップ２７の指標部３２が上方側となるように、キー部２６ａをキーシリンダ２２のキー穴２３に挿入する。すると、キーキャップ２７のスペースＳ内に固設されたトランスポンダ３７は、キー２６の回転中心に対してイモビライザーアンテナ２５側に配置され、キーシリンダ２２の上側面から右側面にかけて円弧状に形成されたイモビライザーアンテナ２５の形状と相俟って、キー２６を回転操作してもトランスポンダ３７が常にイモビライザーアンテナ２５に近接して配置される。これにより、例えばイモビライザーアンテナとトランスポンダとの通信可能距離が３０[ｍｍ]のイモビライザーシステムにおいても、信号の送受信を確実に行うことができる。
【００２５】
また、イモビライザーアンテナ２５及びトランスポンダ３７が固設されたキーキャップ２７は、イモビライザーシステムを具備していない既存の乗用田植機にも容易に後付け可能であり、イモビライザーシステムの搭載にあたってキーやキーシリンダの変更を伴わず、コストダウンできる。更に、キーキャップ２７の覆い部３０は、略半球形状に形成されるので、車両の乗り降り等の際に作業者の足がキーキャップ２７に当たったとしても、力を逃がしてキー２６の誤操作を防止することができる。
【００２６】
また、イモビライザーアンテナは円弧形状に限らずチップ形状等でもよく、またその取付場所も限定されず、例えば小型チップとしてキーシリンダ２２の底面２２ａに取付けてもよく、キーキャップに固設したトランスポンダとの位置関係において、信号の送受信が安定して可能なようにイモビライザーアンテナとトランスポンダが適宜近接して配置されればよい。
【００２７】
なお、本実施形態では、乗用型田植機を例にして説明したが、キーシリンダとキーによってエンジンの始動／停止を行う他の作業機、例えばトラクタやコンバイン、管理機やハーベスタ等に適用してもよい。
【符号の説明】
【００２８】
１    作業車輌
２２    キーシリンダ
２５    イモビライザーアンテナ
２６    キー
２６ａ    キー部
２６ｂ    摘み部
２７    キーキャップ
２９    嵌入部
３０    覆い部
３７    トランスポンダ
Ｓ    スペース
【図１】
2014172459.tif 000003
【図２】
2014172459.tif 000004
【図３】
2014172459.tif 000005
【図４】
2014172459.tif 000006
【図５】
2014172459.tif 000007
【図６】
2014172459.tif 000008